(57)【要約】【課題】集合住宅における複数の住戸で個別に太陽光発電及び蓄電が可能な集合住宅の太陽光発電・蓄電システムを提供する。【解決手段】複数の住戸２が設けられた集合住宅１の屋上又は屋根上に太陽電池パネル３を設置し、太陽電池パネル３により発電される電力を蓄電する蓄電池４を備えた集合住宅１の太陽光発電・蓄電システムであって、住戸２ごとに太陽電池パネル３及び蓄電池４を設置した。【選択図】図１
2019157428.tif 000002
【特許請求の範囲】
【請求項１】
複数の住戸が設けられた集合住宅の屋上又は屋根上に太陽電池パネルを設置し、前記太陽電池パネルにより発電される電力を蓄電する蓄電池を備えた集合住宅の太陽光発電・蓄電システムであって、
前記住戸ごとに前記太陽電池パネル及び前記蓄電池を設置したことを特徴とする集合住宅の太陽光発電・蓄電システム。
【請求項２】
前記蓄電池を前記住戸の室内に設置した請求項１に記載の集合住宅の太陽光発電・蓄電システム。
【請求項３】
前記蓄電池を前記住戸のベランダ上に設置した請求項１に記載の集合住宅の太陽光発電・蓄電システム。
【請求項４】
前記蓄電池を前記住戸のメーターボックス内に設置した請求項１に記載の集合住宅の太陽光発電・蓄電システム。
【請求項５】
前記蓄電池を前記太陽電池パネル及び商用電源に接続した請求項１から４のいずれかに記載の集合住宅の太陽光発電・蓄電システム。
【請求項６】
電気給湯器を前記太陽電池パネル及び前記蓄電池に接続し、
前記電気給湯器を前記集合住宅の共用部に設置した
請求項１から５のいずれかに記載の集合住宅の太陽光発電・蓄電システム。
【請求項７】
室外機を備えた電気給湯器を前記太陽電池パネル及び前記蓄電池に接続し、
前記電気給湯器の室外機を前記住戸のベランダ上に設置し、
前記電気給湯器の本体を前記集合住宅の共用部に設置した
請求項１から５のいずれかに記載の集合住宅の太陽光発電・蓄電システム。
【発明の詳細な説明】
【技術分野】
【０００１】
本発明は、集合住宅の屋上などに太陽電池パネルを設置し、太陽電池パネルにより発電される電力を蓄電する蓄電池を備えた集合住宅の太陽光発電・蓄電システムに関するものである。
【背景技術】
【０００２】
従来のこの種の技術としては、戸建住宅の屋根上などに太陽電池パネルを設置し、太陽電池パネルにより発電される電力を蓄電する蓄電池を備えた太陽光発電・蓄電システム（例えば、非特許文献１参照。）等が知られている。
【先行技術文献】
【非特許文献】
【０００３】
【非特許文献１】“太陽光発電入門ガイド〔ＳＵＵＭＯ住まいのお役立ち記事〕”、［online］、株式会社リクルートホールディングス、公開日：２０１２年５月３０日、最終更新日：２０１７年４月５日、［２０１８年２月４日検索］、インターネット＜ＵＲＬ：https://suumo.jp/article/oyakudachi/oyaku/chumon/c_knowhow/h0wp4312/＞
【発明の開示】
【発明が解決しようとする課題】
【０００４】
しかし、複数の住戸が設けられた集合住宅においては、上記のような太陽光発電・蓄電システムが実用化されておらず、各住戸で個別に太陽光発電や蓄電ができるようにはなっていないのが実情である。
【０００５】
本発明は、以上のような事情に鑑みてなされたものであり、集合住宅における複数の住戸で個別に太陽光発電及び蓄電が可能な集合住宅の太陽光発電・蓄電システムを提供することを目的とする。
【課題を解決するための手段】
【０００６】
上記目的を達成するための第１の発明は、
複数の住戸が設けられた集合住宅の屋上又は屋根上に太陽電池パネルを設置し、前記太陽電池パネルにより発電される電力を蓄電する蓄電池を備えた集合住宅の太陽光発電・蓄電システムであって、
前記住戸ごとに前記太陽電池パネル及び前記蓄電池を設置したものである。
【０００７】
第２の発明は、前記蓄電池を前記住戸の室内に設置したものである。
【０００８】
第３の発明は、前記蓄電池を前記住戸のベランダ上に設置したものである。
【０００９】
第４の発明は、前記蓄電池を前記住戸のメーターボックス内に設置したものである。
【００１０】
第５の発明は、前記蓄電池を前記太陽電池パネル及び商用電源に接続したものである。
【００１１】
第６の発明は、
電気給湯器を前記太陽電池パネル及び前記蓄電池に接続し、
前記電気給湯器を前記集合住宅の共用部に設置したものである。
【００１２】
第７の発明は、
室外機を備えた電気給湯器を前記太陽電池パネル及び前記蓄電池に接続し、
前記電気給湯器の室外機を前記住戸のベランダ上に設置し、
前記電気給湯器の本体を前記集合住宅の共用部に設置したものである。
【発明の効果】
【００１３】
第１の発明によれば、住戸ごとに太陽電池パネル及び蓄電池が設置されているので、集合住宅における複数の住戸で個別に太陽光発電及び蓄電が可能である。また、災害の停電時にも、住戸ごとに、太陽光発電や蓄電池からの通電により、オール電化の場合の特徴を活かしたＩＨクッキングヒーター等の利用ができ、住戸内生活が可能になる。
【００１４】
第２の発明によれば、集合住宅の共用部などの空間を有効利用することができる。
【００１５】
第３の発明によれば、住戸の室内を広く利用することができる。
【００１６】
第４の発明によれば、住戸の室内やベランダを広く利用することができる。
【００１７】
第５の発明によれば、昼間において太陽電池パネルにより発電される電力を蓄電池に蓄電できると共に、商用電源の割安な深夜電力を蓄電池に蓄電することもできる。
【００１８】
第６の発明によれば、昼間において太陽電池パネルにより発電される電力を電気給湯器に使用でき、蓄電池に蓄電された電力を夜間において電気給湯器に使用できると共に、電気給湯器が邪魔にならない。
【００１９】
第７の発明によれば、太陽電池パネルにより発電される電力や、蓄電池に蓄電された電力を高効率で電気給湯器に使用でき、電気給湯器が邪魔にならないと共に、電気給湯器の本体として大型のものでも集合住宅の共用部に収容することができる。
【図面の簡単な説明】
【００２０】
【図１】実施形態における集合住宅の概略説明図である。
【図２】図１の集合住宅の上方から見た概略平面図である。
【図３】各構成要素の接続例を示す概略説明図である。
【発明を実施するための形態】
【００２１】
以下、本発明の実施形態を、図面に基づいて説明する。
図１及び図２に示すように、本実施形態における集合住宅１の太陽光発電・蓄電システムは、複数の住戸２が設けられた集合住宅１の例えば屋上に太陽電池パネル３を設置し、太陽電池パネル３により発電される電力を蓄電する蓄電池４を備えたものであって、住戸２ごとに太陽電池パネル３及び蓄電池４を設置したものである。
【００２２】
集合住宅１には例えば１５戸の住戸２が設けられているが、集合住宅１における住戸２の数や配置は特に限定されるものではなく、適宜変更可能である。
【００２３】
太陽電池パネル３は住戸２ごとに例えば６枚ずつ設置されているが、住戸２ごとの太陽電池パネル３の数も特に限定されるものではなく、適宜変更可能である。また、屋根を有する集合住宅１であれば、太陽電池パネル３を集合住宅１の屋根上に設置してもよい。
【００２４】
蓄電池４は、集合住宅１の共用部などに設置することもできるが、住戸２の室内に設置しておけば、集合住宅１の共用部などの空間を有効利用できるという利点がある。あるいは、蓄電池４を住戸２のベランダ上に設置しておけば、住戸２の室内を広く利用できるという利点がある。更に、蓄電池４を住戸２のメーターボックス内に設置しておけば、住戸２の室内やベランダを広く利用できるという利点がある。
【００２５】
図３に示すように、太陽電池パネル３は、太陽電池パネル３により発電される直流電力を交流電力に変換するためのパワーコンディショナー１１に接続しておけばよい。パワーコンディショナー１１は、商用電源（図示せず）に接続された一般負荷分電盤１２に接続しておけばよい。蓄電池４は、パワーコンディショナー１１を介して太陽電池パネル３に接続すると共に、一般負荷分電盤１２を介して商用電源（図示せず）に接続しておけばよい。一般負荷分電盤１２には、室外機を有しない電気給湯器（図示せず）の他、室外機（ヒートポンプ）１３Ａが接続された電気給湯器の本体（貯湯タンク）１３Ｂなどを接続可能である。
【００２６】
昼間においては、太陽電池パネル３により発電される電力が住戸２で使用され、余剰の電力は蓄電池４に蓄電される。一方、夜間においては、蓄電池４に蓄電された電力が住戸２で使用される。
【００２７】
上記のように構成された集合住宅１の太陽光発電・蓄電システムによれば、住戸２ごとに太陽電池パネル３及び蓄電池４が設置されているので、集合住宅１における複数の住戸２で個別に太陽光発電及び蓄電が可能であるという利点がある。また、災害の停電時にも、住戸２ごとに、太陽光発電や蓄電池４からの通電により、オール電化の場合の特徴を活かしたＩＨクッキングヒーター等の利用ができ、住戸内生活が可能になるという利点がある。
【００２８】
ここで、本実施形態のように、蓄電池４を太陽電池パネル３及び商用電源に接続しておけば、昼間において太陽電池パネル３により発電される電力を蓄電池４に蓄電できると共に、商用電源の割安な深夜電力を蓄電池４に蓄電することもできるという利点がある。
【００２９】
電気給湯器を太陽電池パネル３及び蓄電池４に接続し、電気給湯器を集合住宅１の共用部に設置しておけば、昼間において太陽電池パネル３により発電される電力を電気給湯器に使用でき、蓄電池４に蓄電された電力を夜間において電気給湯器に使用できると共に、電気給湯器が邪魔にならないという利点がある。集合住宅１の共用部としては、メーターボックス等が挙げられる。
【００３０】
また、室外機１３Ａを備えた電気給湯器を太陽電池パネル３及び蓄電池４に接続し、電気給湯器の室外機１３Ａを住戸２のベランダ上に設置し、電気給湯器の本体１３Ｂを集合住宅１の共用部に設置しておけば、太陽電池パネル３により発電される電力や、蓄電池４に蓄電された電力を高効率で電気給湯器に使用でき、電気給湯器が邪魔にならないと共に、電気給湯器の本体１３Ｂとして大型のものでも集合住宅１の共用部に収容できるという利点がある。なお、電気給湯器の室外機１３Ａや本体１３Ｂのサイズに応じて、電気給湯器の室外機１３Ａ及び本体１３Ｂを集合住宅１の共用部に設置してもよい。
【産業上の利用可能性】
【００３１】
以上のように、本発明の集合住宅の太陽光発電・蓄電システムは、集合住宅における複数の住戸で個別に太陽光発電及び蓄電を可能とするための手段として有用である。
【符号の説明】
【００３２】
１  集合住宅
２  住戸
３  太陽電池パネル
４  蓄電池
１３Ａ  電気給湯器の室外機
１３Ｂ  電気給湯器の本体
【図１】
2019157428.tif 000003
【図２】
2019157428.tif 000004
【図３】
2019157428.tif 000005